(57)【要約】【課題】自動改札装置の機種に応じた適切な操作が可能な自動改札監視装置を提供すること。【解決手段】自動改札監視装置は、自動改札装置に関する情報に基づき、自動改札装置の機種に対応した設定画面を表示する表示手段（２３、２４）と、前記表示手段に表示された設定画面を介して入力される指示を受け付ける指示受付手段（２３、２４）と、前記指示受付手段を介して受け付けられた指示に基づき、前記自動改札装置の設定を制御する制御手段（２１、２６）とを備えている。【選択図】図４
2005071101.tif 000002
【特許請求の範囲】
【請求項１】
自動改札装置に関する情報に基づき、自動改札装置の機種に対応した設定画面を表示する表示手段と、
前記表示手段に表示された設定画面を介して入力される指示を受け付ける指示受付手段と、
前記指示受付手段を介して受け付けられた指示に基づき、前記自動改札装置の設定を制御する制御手段と、
を備えたことを特徴とする自動改札監視装置。
【請求項２】
前記表示手段は、前記自動改札装置の機種を変更する項目を表示することを特徴とする請求項１に記載の自動改札監視装置。
【請求項３】
前記表示手段は、前記自動改札装置の機種に対応して必要な項目を表示し、不要な項目を非表示にすることを特徴とする請求項１に記載の自動改札監視装置。
【請求項４】
前記表示手段は、関連する複数の項目のうちの一つの項目の設定状態に応じて他の項目の表示状態を切り替え、
前記指示受付手段は、関連する複数の項目のうちの一つの項目の設定状態に応じて他の項目に対する指示を受け付けない、
ことを特徴とする請求項１に記載の自動改札監視装置。
【請求項５】
前記表示手段は、複数の自動改札装置毎に各種設定が可能な設定画面を表示することを特徴とする請求項１に記載の自動改札監視装置。
【発明の詳細な説明】
【技術分野】
【０００１】
この発明は、鉄道などの交通機関の駅に設置される自動改札装置を監視する自動改札監視装置、いわゆる監視盤に関する。
【背景技術】
【０００２】
鉄道などの交通機関の駅には、改札処理の省力化を目的として自動改札装置が導入されている。例えば、自動改札装置は、駅の入出場口に複数台設置され、改札装置間に複数の改札通路が形成されている。これら複数の自動改札装置は監視盤と接続されており、監視盤により各自動改札装置は監視又は制御されている。例えば、このような監視盤に関する技術として、監視盤を多機能化して係員の負担を軽減する技術が開示されている（特許文献１参照）。
【０００３】
現在、一つの駅には同一機種の自動改札装置が設置されることが前提となっており、監視盤は同一機種の自動改札装置を監視する。
【特許文献１】特開２００２−１８３７７４
【発明の開示】
【発明が解決しようとする課題】
【０００４】
しかしながら、近年のＩＣカードの普及に伴い、例えば、磁気券専用自動改札装置、ＩＣカード専用自動改札装置、及び磁気券ＩＣカード併用自動改札装置などが、様々な機種の自動改札装置が提案されている。
【０００５】
上記した従来の監視盤は、上記したような様々な機種の自動改札装置への対応を前提にしたものではなく、これら様々な機種の自動改札装置の設定を制御する上で、誤操作を招きやすく、また操作が煩雑であるという問題があった。
【０００６】
この発明の目的は、上記したような事情に鑑み成されたものであって、自動改札装置の機種に応じた適切な操作が可能な自動改札監視装置を提供することにある。
【課題を解決するための手段】
【０００７】
この発明の自動改札監視装置は、例えば以下のように構成されている。
【０００８】
この発明の自動改札監視装置は、自動改札装置に関する情報に基づき、自動改札装置の機種に対応した設定画面を表示する表示手段と、前記表示手段に表示された設定画面を介して入力される指示を受け付ける指示受付手段と、前記指示受付手段を介して受け付けられた指示に基づき、前記自動改札装置の設定を制御する制御手段とを備えている。
【発明の効果】
【０００９】
本発明によれば、自動改札装置の機種に応じた適切な操作が可能な自動改札監視装置を提供できる。
【発明を実施するための最良の形態】
【００１０】
以下、この発明の実施の形態について図面を参照して説明する。
【００１１】
まず、図１及び図２を参照して、特定機種の自動改札装置だけを監視する監視盤について説明する。
【００１２】
このような特定機種の自動改札装置の監視を前提とした監視盤の設定画面には、自動改札装置の機種を変更する設定項目が存在しない。現在、一つの駅に複数の自動改札装置が設置される場合、同一機種の設置が前提となっている。しかしながら、ＩＣカードの普及に伴い、一つの駅に、様々な機種の自動改札装置、即ち、磁気券専用自動改札装置、ＩＣカード専用自動改札装置、及び磁気券ＩＣカード併用自動改札装置などが混在して設置されることが予想される。そのため、このような監視盤では、複数機種の自動改札装置に対応することができず、また監視対象の自動改札装置の機種を変更することもできない。
【００１３】
また、このような特定機種の自動改札装置の監視を前提とした監視盤の設定画面からは、自動改札装置の号機別に設定項目を変更することができない。例えば、複数の自動改札装置の中の一台の磁気券ＩＣカード併用自動改札装置におけるＩＣカード読み取り部が故障したとする。このような場合、この磁気券ＩＣカード併用自動改札装置のＩＣカード判定機能を停止し、この磁気券ＩＣカード併用自動改札装置を磁気券専用自動改札装置として稼動すれば、有効に改札処理を継続することができる。しかしながら、次のような煩雑な手順を踏まなければ、ならないという問題があった。
【００１４】
（１）画面上に表示される設定ボタンを押下し、図１に示す画面を表示させる。
【００１５】
（２）画面上に表示されるカード判定ボタンを押下し、図２に示す画面を表示させる。
【００１６】
（３）画面上から該当の号機を選択する。
【００１７】
（４）画面上から該当の号機のＩＣカード判定ボタンを押下し、ＩＣカード判定機能を停止するための「切」ボタンを選択する。
【００１８】
このように、ＩＣカード判定機能を停止するためには、複数の操作、例えば４つのボタンを押下しなければならない。手間がかかる上に各ボタンが類似していて判りにくいという問題があった。
【００１９】
さらに、このような特定機種の自動改札装置の監視を前提とした監視盤の設定画面には、すべての設定ボタンが表示されてしまうという問題があった。例えば、ＩＣカード専用自動改札装置には磁気券の判定等は不要であり、ＩＣカード専用自動改札装置装置に関する各種設定時には磁気券の判定等の設定ボタンは不要である。このような監視盤は、ＩＣカード専用自動改札装置に対して、磁気券の判定があたかも設定可能であるかのように、磁気券の判定等の設定ボタンまで表示してしまう。このことが、駅係員の操作ミスや設定ミスの原因となり、大きな損害を被るおそれがあった。
【００２０】
以下、図３〜図７を参照して、この発明の一例の監視盤について説明する。
【００２１】
図３は、この発明の監視盤による改札監視システムの概略構成を示す図である。図３に示すように、駅の入出場口（改札口）には、例えば複数台の自動改札装置１が設置されている。これら自動改札装置１の間には改札通路が形成される。これら自動改札装置には、例えば一台の監視盤２が接続される。
【００２２】
自動改札装置１には、例えば、磁気券専用自動改札装置、ＩＣカード専用自動改札装置、及び磁気券ＩＣカード併用自動改札装置がある。
【００２３】
磁気券専用自動改札装置は、磁気券を受け取り、磁気券に記録された乗車券情報を読み取り、入場又は出場の改札可否を判定し、磁気券を返却又は回収する。この磁気券専用自動改札装置が、乗車券情報の読み取り結果に基づき、運賃不足又は期限切れなどの理由から改札否と判定すると、ドアの開閉を制御して乗客を駅構内に入場させない、駅構内から出場させない、又は乗り換えを許可しないようにする。この磁気券専用自動改札装置は、ＩＣカードに基づく改札処理を行なうことはできない。つまり、この磁気券専用自動改札装置は、ＩＣカード読み取り部等のハードウェアを備えていない。
【００２４】
一方、ＩＣカード専用自動改札装置は、ＩＣカードと交信し、ＩＣカードに記録された乗車券情報を受信し、入場又は出場の改札可否を判定する。このＩＣカード専用自動改札装置が、乗車券情報の読み取り結果に基づき、運賃不足又は期限切れなどの理由から改札否と判定すると、ドアの開閉を制御して乗客を駅構内に入場させない、駅構内から出場させない、又は乗り換えを許可しないようにする。このＩＣカード専用自動改札装置は、磁気券に基づく改札処理を行なうことはできない。つまり、このＩＣカード専用自動改札装置は、磁気券読み取り部等のハードウェアを備えていない。
【００２５】
磁気券ＩＣカード併用自動改札装置は、上記した磁気券専用自動改札装置のように磁気券に基づく改札処理も可能であるし、また上記したＩＣカード専用自動改札装置のようにＩＣカードに基づく改札処理も可能である。つまり、この磁気券ＩＣカード併用自動改札装置は、ＩＣカード読み取り部と磁気券読み取り部の両方のハードウェアを備えている。
【００２６】
図４は、図３に示すこの発明の監視盤２の概略構成を示すブロック図である。図４に示すように、監視盤は、制御手段としての主制御部２１、記憶部２２、表示手段及び指示受付手段としての表示入力制御部２３、同様に表示手段及び指示受付手段としての表示入力部（タッチパネルなど）２４、操作入力部（キーボードなど）２５、及び通信部２６を備えている。監視盤２（通信部２６）は、複数台の自動改札装置に接続されており、これら複数台の自動改札装置の動作を監視したり、設定を制御したりする。
【００２７】
従来、問題となっていた監視盤の誤操作の原因としては、駅係員の勘違いによる設定間違えやボタンの押し間違えなどが大半を占める。本発明の監視盤２は、次のようにして、それらを未然に防ぐことができる。
【００２８】
まず、第１に、監視盤２の表示入力制御部２３は、自動改札装置における存在しないハードウェアに関する設定項目について設定できないように制御する。監視盤２の制御部２１は、例えば記憶部２２から駅の構成が記録されている駅構成設定ファイルを読み込む。表示入力制御部２３は、読み込んだ駅構成設定ファイルに基づき、駅に設定されている自動改札装置の機種に対応した設定画面を表示入力部２４上に表示させる。例えば、ＩＣカード専用自動改札装置は、上述したように磁気券読み取り部等のハードウェアを備えていない。そこで、表示入力制御部２３は、ＩＣカード専用自動改札装置に対する設定ボタンとして、磁気券に関する設定ボタンを非表示とする。同様にして、磁気券専用自動改札装置は、上述したようにＩＣカード読取部等のハードウェアを備えていない。そこで、表示入力制御部２３は、磁気券専用自動改札装置に対する設定ボタンとして、ＩＣカードに関する設定ボタンを非表示にする。これにより、実在しないハードウェアに対する誤設定を防止することができる。
【００２９】
第２に、監視盤２の表示入力制御部２３は、アルゴリズム的に不可能な項目について設定できないように制御する。例えば、判定と不正判定は対になって動作する。具体的に言うと、判定を行い、その判定が不正な判定ではないかを再度チェックするのが不正判定である。すなわちアルゴリズム的には、判定が存在したときのみ不正判定が必要となる。そこで、判定を行なう状態に設定されているとき、つまり判定が「入」に設定されているときのみ、不正判定を行なうか否か、つまり不正判定の「入／切」を設定可能な状態（アクティブな状態）にする。判定が行なわれない状態に設定されているとき、つまり判定が「切」になっている場合でも、判定が「入」の場合の設定項目について知らせる必要があるため、不正判定に関する表示（案内）は行なうが、不正判定の項目について設定はできない状態（インアクティブな状態）にする。そのため、表示入力部２４に不正判定の「入／切」ボタンは表示されるが、この不正判定の「入／切」ボタンを押下しても設定は変わらない。
【００３０】
第３に、監視盤２の表示入力制御部２３は、自動改札機の号機別に各種設定が可能な画面を表示することができる。例えば、一台の自動改札装置だけに不具合が発生した場合、その自動改札装置のみ設定を変更する必要がある。表示入力制御部２３は、図５に示す各号機に対して共通して各種条件を設定することができる設定画面上に、号機別設定ボタンを表示する。この号機別設定ボタンが押下されると、表示入力制御部２３は、表示入力部２４上に図６に示す号機別設定画面を表示させる。図６に示す号機別設定画面は、号機別に各種設定を一覧表示する。これにより、対象でない他の自動改札装置の設定を変更してしまうような操作ミスを防止することができる。
【００３１】
また、表示入力部２４の表示スペースは限られているため、一台の自動改札装置に対する全設定項目を一画面中に見易く表示できない場合には、各設定項目について重み付けを行い、重み付けに応じて所定の設定項目を優先的に表示するようにしてもよい。例えば、設定変更頻度の高い項目について優先的に表示するようにしてもよい。
【００３２】
第４に、監視盤２の表示入力制御部２３は、設定項目別に自動改札装置の各号機の設定が一覧表示可能な画面を表示することができる。これにより、特定の項目について、全自動改札装置の設定状態を一覧表示させることができる。
【００３３】
続いて、図７に示すフローチャートを参照して、監視盤における設定画面の遷移ついて説明する。
【００３４】
まず、初期設定が行なわれる。即ち、監視盤２と複数の自動改札装置１とが接続され（ＳＴ１）、監視盤２に電源が投入される（ＳＴ２）。監視盤２は、通信部２６を介して各自動改札装置１と接続する。続けて、監視盤２の主制御部２１は、駅の構成が記録されている駅構成設定ファイルを読み込む（ＳＴ３）。駅構成設定ファイルは、記憶部２２に記憶しておくようにしてもよいし、外部に記憶しておくようにしてもよい。表示入力制御部２３は、読み込んだ駅構成設定ファイルに基づき、駅に設定されている自動改札装置の台数と機種を表示入力部２３に表示する（ＳＴ４）。さらに、表示入力制御部２３は、機種変更項目を表示入力部２３に表示する。この機種変更項目を介して、磁気券専用自動改札装置、ＩＣカード専用自動改札装置、及び磁気券ＩＣカード併用自動改札装置のうちのいずれか一つの機種を選択することが可能となり（ＳＴ５）、選択された機種に対応した設定画面が表示される（ＳＴ６、ＳＴ７、ＳＴ８）。
【００３５】
即ち、磁気券専用自動改札装置が選択されると、磁気券専用自動改札装置に対応した設定画面が表示される。この設定画面には、磁気券に基づく改札処理に関係する各種設定ボタン、例えば磁気券用設定ボタン等が表示される（ＳＴ６）。このとき、ＩＣカードに基づく改札処理関係の設定ボタンは表示されない。さらに、表示入力制御部２３により、この磁気券専用自動改札装置においてアルゴリズム的に可能なボタンのみ設定可能な状態（アクティブな状態）に制御される。磁気券判定を有効にするために、磁気券判定ボタンが押下された場合は（ＳＴ９、ＯＮ）、磁気券判定に対応する不正判定の「入／切」ボタンが明るく表示され、しかもこの不正判定の「入／切」ボタンによる不正判定の有効／無効が設定可能な状態（アクティブな状態）に制御される（ＳＴ１０）。一方、磁気券判定ボタンが押下されなければ（ＳＴ９、ＯＦＦ）、磁気券判定に対応する不正判定の「入／切」ボタンが暗く表示され、しかもこの不正判定の「入／切」ボタンによる不正判定の有効／無効は設定不能な状態（インアクティブな状態）に制御される（ＳＴ１１）。
【００３６】
或いは、磁気券ＩＣカード併用自動改札装置が選択されると、磁気券ＩＣカード併用自動改札装置に対応した設定画面が表示される。この設定画面には、磁気券及びＩＣカードに基づく改札処理に関係する各種設定ボタン、例えばＩＣカード用設定ボタン及び磁気券用設定ボタン等が表示される（ＳＴ７）。表示入力制御部２３により、この磁気券ＩＣカード併用自動改札装置においてアルゴリズム的に可能なボタンのみ設定可能な状態（アクティブな状態）に制御される。磁気券判定を有効にするために、磁気券判定ボタンが押下された場合は（ＳＴ９、ＯＮ）、磁気券判定に対応する不正判定の「入／切」ボタンが明るく表示され、しかもこの不正判定の「入／切」ボタンによる不正判定の有効／無効が設定可能な状態（アクティブな状態）に制御される（ＳＴ１０）。一方、磁気券判定ボタンが押下されなければ（ＳＴ９、ＯＦＦ）、磁気券判定に対応する不正判定の「入／切」ボタンが暗く表示され、しかもこの不正判定の「入／切」ボタンによる不正判定の有効／無効は設定不能な状態（インアクティブな状態）に制御される（ＳＴ１１）。同様に、ＩＣカード判定を有効にするために、ＩＣカード判定ボタンが押下された場合は（ＳＴ９、ＯＮ）、ＩＣカード判定に対応する不正判定の「入／切」ボタンが明るく表示され、しかもこの不正判定の「入／切」ボタンによる不正判定の有効／無効が設定可能な状態（アクティブな状態）に制御される（ＳＴ１０）。一方、ＩＣカード判定ボタンが押下されなければ（ＳＴ９、ＯＦＦ）、ＩＣカード判定に対応する不正判定の「入／切」ボタンが暗く表示され、しかもこの不正判定の「入／切」ボタンによる不正判定の有効／無効は設定不能な状態（インアクティブな状態）に制御される（ＳＴ１１）。
【００３７】
或いは、ＩＣカード専用自動改札装置が選択されると、ＩＣカード専用自動改札装置に対応した設定画面が表示される。この設定画面には、ＩＣカードに基づく改札処理に関係する各種設定ボタン、例えばＩＣカード用設定ボタン等が表示される（ＳＴ８）。このとき、磁気券に基づく改札処理関係の設定ボタンは表示されない。さらに、表示入力制御部２３により、このＩＣカード専用自動改札装置においてアルゴリズム的に可能なボタンのみ設定可能な状態（アクティブな状態）に制御される。ＩＣカード判定を有効にするために、ＩＣカード判定ボタンが押下された場合は（ＳＴ９、ＯＮ）、ＩＣカード判定に対応する不正判定の「入／切」ボタンが明るく表示され、しかもこの不正判定の「入／切」ボタンによる不正判定の有効／無効が設定可能な状態（アクティブな状態）に制御される（ＳＴ１０）。一方、ＩＣカード判定ボタンが押下されなければ（ＳＴ９、ＯＦＦ）、ＩＣカード判定に対応する不正判定の「入／切」ボタンが暗く表示され、しかもこの不正判定の「入／切」ボタンによる不正判定の有効／無効は設定不能な状態（インアクティブな状態）に制御される（ＳＴ１１）。
【００３８】
なお、実際の駅の通路構成と監視盤２の表示入力部２４に表示されている通路構成が異なる場合は、表示入力部２４から或いは操作入力部２５から設定変更が可能である。
【００３９】
以下、上記説明したこの発明の監視盤による作用効果をまとめる。
【００４０】
この発明の監視盤２の表示入力部２４には、自動改札装置の機種変更項目が表示されるので、容易に自動改札装置の機種を変更することができる。一つの駅に異なる機種の自動改札装置が複数設置され、これら自動改札装置を一つの監視盤により一括して監視する場合に、自動改札装置の機種に応じた各種設定変更が可能であり、自動改札装置の機種に対応した適切な操作が可能となる。具体的には、この発明の監視盤２の表示入力部２４には、各自動改札装置のハードウェア情報に基づき、自動改札機の機種に対応した各種設定ボタンが自動的に表示／非表示される。つまり、ＩＣカード専用自動改札装置に対して磁気券に基づく改札処理に関係する各種設定ボタンは表示されない。同様に、磁気券専用自動改札装置に対してＩＣカードに基づく改札処理に関係する各種設定ボタンは表示されない。これにより駅係員による誤操作を防止できる。
【００４１】
また、この発明の監視盤２の表示入力部２４には、関連する複数の項目（磁気券判定とその不正判定又はＩＣカード判定とその不正判定）のうちの一つの項目の設定状態（磁気券判定の設定又はＩＣカード判定の設定）に応じて他の項目（不正判定の「入／切」）の表示状態が切り替えられる（アクティブな状態又はインアクティブな状態に切り替えられる）。つまり、アルゴリズム的に設定不可能な設定項目について、入力を受け付けないようにすることで、誤設定を防ぐことができる。
【００４２】
さらに、この発明の監視盤２の表示入力部２４は、自動改札装置毎（号機別）に容易に設定項目を変更することが可能な設定画面を表示することができる。これにより、ある特定の自動改札装置（号機）についての設定のみ容易に変更することができ、ある特定の自動改札装置（号機）の設定変更の誤設定を防止することができる。また、設定項目別に重みづけを行い、設定変更の多い項目が優先的に表示されるようにすることもできる。これにより、設定変更の多い変更項目については、容易に設定変更可能になる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４４】
【図１】特定機種の自動改札装置を監視する監視盤における設定画面の一例を示す図である。
【図２】特定機種の自動改札装置を監視する監視盤におけるＩＣカード判定入切画面の一例を示す図である。
【図３】この発明の監視盤による改札監視システムの概略構成の一例を示す図である。
【図４】この発明の監視盤の概略構成の一例を示すブロック図である。
【図５】この発明の監視盤に表示される号機別設定ボタンを含む設定画面の一例を示す図である。
【図６】この発明の監視盤に表示される号機別設定画面の一例を示す図である。
【図７】この発明の監視盤の設定画面の遷移の一例を示す図である。
【符号の説明】
【００４５】
１…自動改札装置、２…監視盤、２１…主制御部、２２…記憶部、２３…表示入力制御部、２４…表示入力部（タッチパネルなど）、２５…操作入力部（キーボードなど）、２６…通信部
【図１】
2005071101.tif 000003
【図２】
2005071101.tif 000004
【図３】
2005071101.tif 000005
【図４】
2005071101.tif 000006
【図５】
2005071101.tif 000007
【図６】
2005071101.tif 000008
【図７】
2005071101.tif 000009